(57)【要約】【課題】  高性能のディスプレイ装置を利用して最適の画面出力効率を実現することで、ディスプレイ装置の出力速度を向上し得る移動通信端末機のディスプレイ制御システム及び方法を提供する。【解決手段】  移動通信端末機のディスプレイ制御方法は、内部メモリに画面出力バッファーを割り当てる段階と、外部から画面情報が入力されると、画面出力バッファーに画面データを構成する段階と、該構成された画面データの出力が要求されると、制御部が直接前記画面出力バッファーから画面データを読み出してディスプレイ装置に出力する段階と、を含んで行われる。【選択図】    図２
2005196755.tif 000002
【特許請求の範囲】
【請求項１】
各種の画面データをディスプレイするディスプレイ装置と、
該ディスプレイ装置の画面出力バッファーが内部に備えられ、該画面出力バッファーに保存された画面データを直接ディスプレイ装置に出力する制御部と、
を含んで構成されることを特徴とする移動通信端末機のディスプレイ制御システム。   
【請求項２】
前記制御部は、
画面の出力及び変更要求によって前記画面出力バッファーのデータを変更することを特徴とする請求項１に記載の移動通信端末機のディスプレイ制御システム。
【請求項３】
前記制御部は、
内部メモリの所定領域に割り当てられた画面出力バッファーと、
該画面出力バッファーから出力された画面データをディスプレイ装置に伝送するディスプレイインターフェースと、を含んで構成されることを特徴とする請求項１に記載の移動通信端末機のディスプレイ制御システム。
【請求項４】
前記内部メモリは、ランダムアクセスメモリであることを特徴とする請求項３に記載の移動通信端末機のディスプレイ制御システム。
【請求項５】
内部メモリに画面出力バッファーを割り当てる段階と、
外部から画面情報が入力されると、画面出力バッファーに画面データを構成する段階と、
該構成された画面データの出力が要求されると、制御部が直接前記画面出力バッファーから画面データを読み出してディスプレイ装置に出力する段階と、
を含んで構成されることを特徴とする移動通信端末機のディスプレイ制御方法。
【請求項６】
前記内部メモリは、
ランダムアクセスメモリであることを特徴とする請求項３〜５のいずれか一つに記載の移動通信端末機のディスプレイ制御システム。   
【請求項７】
前記画面出力バッファーの書き込み及び読み出しは、制御部の内部バスクロックサイクルによって遂行されることを特徴とする請求項５に記載の移動通信端末機のディスプレイ制御方法。
【請求項８】
前記読み出しされた画面データは、制御部内部のディスプレイインターフェースを通して出力されることを特徴とする請求項５に記載の移動通信端末機のディスプレイ制御方法。
【発明の詳細な説明】
【技術分野】
【０００１】
本発明は、移動通信端末機に係るもので、詳しくは、移動通信端末機に適用される高性能ディスプレイ装置の制御システム及びその方法に関するものである。
【背景技術】
【０００２】
一般に、移動通信端末機の高性能ディスプレイ装置に表示される画面情報(データ)は、ランダムアクセスメモリ(Random Access Memory: ＲＡＭ)のような外部メモリに構成されて保存される。且つ、該外部メモリに保存された画面情報を前記高性能ディスプレイ装置(以下、ディスプレイ装置と略称す)にディスプレイする方法は、以下の２種類に区分される。  
【０００３】
まず、(１)１つのディスプレイ方法として、画面情報の構成及び出力を全て制御部(例えば、ＣＰＵ)が遂行する方法があり、図３に示されたように、制御部１３により、外部メモリ１２内の画面出力バッファー(図示せず)に画面データが記録された後、該画面出力バッファーから画面データが読み出されてディスプレイ装置１１に出力される。
【０００４】
しかしながら、このような一つのディスプレイ方法は、制御部１３が外部メモリ１２を読み出し／書き込み(read/write)するか、または、ディスプレイ装置１１に画面データを出力する時、多数のクロックサイクルが必要であるため、前記ディスプレイ装置１１の性能を制限するようになる。即ち、このような一つのディスプレイ方法は、制御部１３による外部メモリの読み出し／書き込み時間及び外部メモリと制御部間の伝送速度が高性能ディスプレイ装置の速度を制限するようになる。    
【０００５】
(２)他のディスプレイ方法として、前記制御部は画面データの構成のみを遂行し、前記画面データの出力は、外部メモリが遂行する方法がある。即ち、図４に示したように、制御部２３は、外部メモリ２２の画面出力バッファーに画面データを構成し、外部メモリ２２は、画面出力バッファーに構成された画面データをディスプレイ装置２１に直接出力する。
【０００６】
このような他のディスプレイ方法は、外部メモリ２２が画面情報を直接ディスプレイ装置２１に出力するため、前記(１)項記載の一つのディスプレイ方法より少数のクロック サイクルが要求され、ディスプレイ装置２１により速いデータの出力が可能となる。しかしながら、このような他のディスプレイ方法も、外部メモリの読み出し／書き込み時間及び外部メモリと制御部間の伝送速度、外部メモリとディスプレイ装置間の伝送速度などによってディスプレイ装置の性能が制限される。 
【０００７】
従って、前述した従来のディスプレイ方法によってディスプレイ装置に出力する画面データを外部メモリに構成する場合、外部メモリの性能が制限され、インターフェース速度によってディスプレイ装置の性能も制限されるという問題点が発生する。即ち、ディスプレイ装置の出力速度が制御部による外部メモリの読み出し／書き込み時間、外部メモリと制御部間のデータ伝送速度及び外部メモリとディスプレイ装置間のデータ伝送速度などによって制限されるため、従来の移動通信端末機では、高性能ディスプレイ装置を適用することが難しいという不都合な点があった。 
【発明の開示】
【発明が解決しようとする課題】
【０００８】
本発明の目的は、高性能のディスプレイ装置を利用して最適の画面出力効率を実現し得る移動通信端末機のディスプレイ制御システム及び方法を提供することにある。
本発明の他の目的は、ディスプレイ装置の出力速度を向上し得るディスプレイ制御システム及び方法を提供することにある。
【課題を解決するための手段】
【０００９】
このような目的を達成するために本発明に係る移動通信端末機のディスプレイ制御システムは、各種の画面データをディスプレイするディスプレイ装置と、該ディスプレイ装置の画面出力バッファーを内部に備えられ、該画面出力バッファーに保存された画面データを直接ディスプレイ装置に出力する制御部と、を含んで構成されることを特徴とする。        
【００１０】
また、前記内部メモリは、ランダムアクセスメモリ(ＲＡＭ)であることを特徴とする。
また、前記制御部は、内部メモリの所定領域に割り当てられた画面出力バッファーと、該画面出力バッファーから出力された画面データをディスプレイ装置に伝送するディスプレイインターフェースと、を含むことを特徴とする。
【００１１】
このような目的を達成するために本発明に係る移動通信端末機のディスプレイ制御方法は、内部メモリに画面出力バッファーを割り当てる段階と、外部から画面情報が入力されると、画面出力バッファーに画面データを構成する段階と、該構成された画面データの出力が要求されると、制御部が直接前記画面出力バッファーから画面データを読み出してディスプレイ装置に出力する段階と、を含むことを特徴とする。
【００１２】
また、前記画面出力バッファーの書き込み及び読み出し動作は、制御部の内部バスクロックサイクルによって遂行され、前記読み出しされた画面データは、制御部内部のディスプレイインターフェースを通して出力されることを特徴とする。
【００１３】
従って、本発明は、以下を提供する：
１．  各種の画面データをディスプレイするディスプレイ装置と、
該ディスプレイ装置の画面出力バッファーが内部に備えられ、該画面出力バッファーに保存された画面データを直接ディスプレイ装置に出力する制御部と、
を含んで構成されることを特徴とする移動通信端末機のディスプレイ制御システム。   
２．  前記制御部は、
画面の出力及び変更要求によって前記画面出力バッファーのデータを変更することを特徴とする項目１に記載の移動通信端末機のディスプレイ制御システム。
３．  前記制御部は、
内部メモリの所定領域に割り当てられた画面出力バッファーと、
該画面出力バッファーから出力された画面データをディスプレイ装置に伝送するディスプレイインターフェースと、を含んで構成されることを特徴とする項目１に記載の移動通信端末機のディスプレイ制御システム。
４．  前記内部メモリは、ランダムアクセスメモリであることを特徴とする項目３に記載の移動通信端末機のディスプレイ制御システム。
５．  内部メモリに画面出力バッファーを割り当てる段階と、
外部から画面情報が入力されると、画面出力バッファーに画面データを構成する段階と、
該構成された画面データの出力が要求されると、制御部が直接前記画面出力バッファーから画面データを読み出してディスプレイ装置に出力する段階と、
を含んで構成されることを特徴とする移動通信端末機のディスプレイ制御方法。
６．  前記内部メモリは、
ランダムアクセスメモリであることを特徴とする項目３〜５のいずれか一つに記載の移動通信端末機のディスプレイ制御システム。   
７．  前記画面出力バッファーの書き込み及び読み出しは、制御部の内部バスクロックサイクルによって遂行されることを特徴とする項目５に記載の移動通信端末機のディスプレイ制御方法。
８．  前記読み出しされた画面データは、制御部内部のディスプレイインターフェースを通して出力されることを特徴とする項目５に記載の移動通信端末機のディスプレイ制御方法。
【発明の効果】
【００１４】
本発明は、制御部に備えられた内部メモリに画面出力バッファー領域を割り当て、該割り当てられた画面出力バッファー領域に画面データを保存してディスプレイ装置に直接伝送することで、前記ディスプレイ装置の画面に対する表示速度を増大し得るという効果がある。
【発明を実施するための最良の形態】
【００１５】
以下、本発明の望ましい実施形態を説明する。
【００１６】
本発明は、制御部(例えば、ＣＰＵ)内部に備えられた内部メモリを利用して移動通信端末機の高性能ディスプレイ装置を制御するシステム及び方法を提案する。このために、本発明は、移動通信端末機の画面出力データを制御部の外部メモリでなく制御部の内部メモリを利用して構成し、該内部メモリに構成された画面出力データをディスプレイ装置に直接伝送する。
【００１７】
このために、本発明は、従来には制御部の外部メモリに割り当てられた画面出力バッファーを制御部の内部メモリ領域に割り当て、前記画面出力バッファーに構成された画面出力データをディスプレイ装置に出力するためのインターフェースを提供する。このような構成を通じて、本発明は、最高速度を有する制御部のバスクロックサイクルと同様に画面情報データを構成及び伝送する。  
【００１８】
図１は、本発明に係る移動通信端末機のディスプレイ制御システムを示した構成図で、図示されたように、本発明に係るディスプレイ制御システムは、内部メモリ３１に保存された画面情報(データ)をディスプレイインターフェース３２を通して出力する制御部３０と、該制御部３０から出力された画面情報を表示するディスプレイ装置４０と、を含んで構成される。 
【００１９】
且つ、前記内部メモリ３１の所定領域には、ディスプレイ装置４０に出力するデータが 保存される画面出力バッファー３１ａが割り当てられ、この時、前記内部メモリ３１は、ＲＡＭ(Random Access Memory)が用いられる。且つ、前記画面出力バッファー３１ａに対するデータの書き込み(write)及び読み出し(read)動作は、制御部３０の内部バスクロックサイクルによって遂行される。即ち、制御部３０の内部バスクロックサイクルに合わせて画面出力バッファー３１ａの書き込み及び読み出し動作が遂行される。
【００２０】
以下、このように構成された本発明に係る移動通信端末機のディスプレイ制御システムの動作を図面に基づいて説明する。
【００２１】
図２は、本発明に係る移動通信端末機のディスプレイ制御方法を示したフローチャートで、図示されたように、まず、内部メモリ３１の所定領域が画面出力バッファー３１ａの領域として割り当てられる(Ｓ１０)。この時、前記画面出力バッファー３１ａの割当領域は、製造業者によって決定される。
【００２２】
次いで、前記内部メモリ３１に画面出力バッファー３１ａの領域が割り当てられた状態で外部から画面情報が入力されると、前記制御部３０は、前記入力された画面情報を画面出力バッファー３１ａに保存して画面データを構成する(Ｓ１１)。ここで、前記画面出力バッファー３１ａに保存される画面データは、入力画面情報によって継続して変更され、前記画面出力バッファー３１ａに対するデータ読み出し／書き込みは、制御部３０から制御バスを通して提供される内部バスクロックサイクルによって遂行される。 
【００２３】
次いで、前記制御部３０は、前記構成された画面データに対する出力または変更要求が発生したか否かをチェックし(Ｓ１２)、画面データに対する出力または変更要求が発生すると、制御部３０は、画面出力バッファー３１ａに保存された画面データを変更した後(Ｓ１３)、前記画面出力バッファー３１ａの読み出し機能を通じて前記変更された画面データをディスプレイインターフェース３２に出力する(Ｓ１４)。
【００２４】
この時、前記ディスプレイインターフェース３２は、外部に連結されたディスプレイ装置４０に対して画面データ伝送及び制御機能を遂行することができるし、前記内部メモリ３１とディスプレイインターフェース３２間には、画面データ送受信のためのデータバスが構成されている。 
【００２５】
従って、前記画面出力バッファー３１ａから読み出されてデータバスを通してディスプレイインターフェース３２に伝達された画面データは、再びデータバスを通してディスプレイ装置４０に伝達されることにより、前記ディスプレイ装置４０の画面が更新される(Ｓ１５)。 
以上説明した本発明は、制御部に備えられた内部メモリに画面データを保存し、その内部メモリに保存された画面データが制御部のクロックサイクルによって外部ディスプレイ装置に直接出力されるため、画面データの伝送速度をより速い速度に維持することができるし、よって、内部メモリの速い処理速度により一層速い速度を有する高性能ディスプレイ装置の画面をｃ迅速に表示することができる。
【００２６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００２７】
【図１】本発明に係る移動通信端末機のディスプレイ制御システムを示した構成図である。
【図２】本発明に係る移動通信端末機のディスプレイ制御方法を示したフローチャートである。
【図３】従来外部メモリに画面データが保存される場合、一つのディスプレイ方法のディスプレイ制御システムを示した構成図である。
【図４】従来外部メモリに画面データが保存される場合、他のディスプレイ方法のディスプレイ制御システムを示した構成図である。＜符号の説明＞３０：制御部３１：内部メモリ３１ａ：画面出力バッファー３２：ディスプレイインターフェース４０：ディスプレイ装置
【図１】
2005196755.tif 000003
【図２】
2005196755.tif 000004
【図３】
2005196755.tif 000005
【図４】
2005196755.tif 000006